(57)【要約】【課題】  この発明は、許可された人間以外が装置の立ち上げを行うことを規制し、不審者の悪用を未然に防ぐことができる。【解決手段】  この発明は、定期券としての無線カードに新たに定期券情報を更新して発行する係員用の定期券発行装置において、装置の立ち上げ時に、係員認証用の無線カードとパスワードとによる認証を行い、認証された際に装置の立ち上げ処理を許可するようにしたものである。【選択図】    図３
2006155425.tif 000002
【特許請求の範囲】
【請求項１】
定期券としての無線カードに新たに定期券情報を更新して発行する係員用の定期券発行装置において、装置の立ち上げ時に、係員認証用の無線カードとパスワードとによる認証を行い、認証された際に装置の立ち上げ処理を許可することを特徴とする定期券発行装置。
【請求項２】
区間情報、期間情報等の乗車情報が無線により送受信される無線定期カードの乗車情報を更新するカード処理装置において、
パスワード等の認証情報が記録され、無線により送信される認証情報と記録されている認証情報との比較により認証結果を出力する認証カードと、
この認証カードからの認証結果に基づいて、上記無線定期カードの乗車情報の更新処理を許可する許可手段と、
この許可手段により上記無線定期カードの乗車情報の更新処理が許可されている際に、無線定期カードとの無線により得られる区間情報、期間情報等の乗車情報に基づいて得られる新規の区間情報、期間情報等の乗車情報を、無線定期カードに対して無線により更新して登録する処理手段と、
を具備したことを特徴とするカード処理装置。
【発明の詳細な説明】
【技術分野】
【０００１】
本発明は、定期券としての無線カードに新たに定期券情報を更新して発行する係員用の定期券発行装置とカード処理装置に関する。
【背景技術】
【０００２】
従来の定期券発行装置としては、係員対応の窓口定期券発行機として磁気カード定期券の処理を行ってきた。また複合機として、定期券発行機の機能に追加して各種磁気カード、切符の発行処理を行う装置もある。（特許文献１）
しかし、これらの装置は、機能が複雑になり、また大型になるため、限られた設置スペースしかない窓口に設置するために、操作性を犠牲にする、あるいは機能を限定するなど、種々制約条件があった。さらに無線ＩＣカード定期の処理部分を追加する場合には、さらに機能追加であり、これまで以上に困難を極める結果となる。
【０００３】
上記したように、定期券発行機に対して機能追加と言う観点ではなく、新規設置（地方路線等）を考慮し、機能を無線ＩＣカード定期に限定することにより、複雑化し、大型化するという問題を解決し、さらに操作性、作業性を向上させることにより、問題点を改善することを可能とする。
【０００４】
また、操作性、作業性を向上するために、汎用ＰＣを使用することにより、無理無く操作を行うことを可能としている。
【０００５】
また通常作業は、ＰＣ画面上にあるボタンをマウスで選択するだけであるが、汎用ＰＣのキーボードを利用することにより、その他細かい条件設定、あるいは、何らかの故障が発生した場合の保守員用ツールとしての機能も果たすことができる。
【０００６】
しかし、定期券が高額であることから、本装置が不審者に悪用されない用にする必要がある。
【特許文献１】特開平６−３２５２３５号公報
【発明の開示】
【発明が解決しようとする課題】
【０００７】
この発明は、定期券は高額であることから、本装置が不審者に悪用されない用にするために、本装置を立ち上げる場合には、装置立ち上げに必要なＩＤ無線ＩＣカードとパスワードをセットとして装置立ち上げを行う。これにより、許可された人間以外が装置の立ち上げを行うことを規制し、不審者の悪用を未然に防ぐことができる定期券発行装置とカード処理装置を提供することを目的とする。
【課題を解決するための手段】
【０００８】
この発明は、定期券としての無線カードに新たに定期券情報を更新して発行する係員用の定期券発行装置において、装置の立ち上げ時に、係員認証用の無線カードとパスワードとによる認証を行い、認証された際に装置の立ち上げ処理を許可するものである。
【０００９】
この発明は、区間情報、期間情報等の乗車情報が無線により送受信される無線定期カードの乗車情報を更新するカード処理装置において、パスワード等の認証情報が記録され、無線により送信される認証情報と記録されている認証情報との比較により認証結果を出力する認証カードと、この認証カードからの認証結果に基づいて、上記無線定期カードの乗車情報の更新処理を許可する許可手段と、この許可手段により上記無線定期カードの乗車情報の更新処理が許可されている際に、無線定期カードとの無線により得られる区間情報、期間情報等の乗車情報に基づいて得られる新規の区間情報、期間情報等の乗車情報を、無線定期カードに対して無線により更新して登録する処理手段とを有するものである。
【発明の効果】
【００１０】
以上のように、この発明によれば、許可された人間以外が装置の立ち上げを行うことを規制し、不審者の悪用を未然に防ぐことができる定期券発行装置とカード処理装置を提供できる。
【発明を実施するための最良の形態】
【００１１】
以下、図面を参照してこの発明の実施形態のカード処理装置を説明する。  
まず、このカード処理装置としての駅務機器における定期券発行機２の概略構成について、図１を用いて説明する。
【００１２】
この定期券発行機２は、定期券（無線定期カード）を、再発行するものであり、全体を制御する制御部３、種々の設定を行うマウス、キーボード等の操作部４、種々の設定に基づく表示がなされる表示部５、カード処理部６により構成されている。汎用ＰＣにカード処理部６を追加した構成となっている。
【００１３】
この定期券発行機２は、無線カードだけが扱われるようになっている。この無線カードとしては、上記定期券発行機２の立上げ処理の認証用の無線カードとしてのＩＤカードＡと、再発行（継続）定期券としての無線定期カードＢが扱われるようになっている。
【００１４】
ＩＤカードＡ、無線定期カードＢは、ＣＰＵとメモリと通信部とを内蔵するものであり、ＩＤカードＡのメモリには係員用のパスワードが予め登録され、無線定期カードＢのメモリには定期券の発行内容が記憶されるようになっている。  
この定期券発行機２は、次の処理を行うことができるものである。
【００１５】
（１）ＩＤカードＡによる立上げ処理
（２）継続利用される無線定期カードＢのリライト発行処理
上記カード処理部６について、図２を用いて説明する。
【００１６】
すなわち、本体７の左側（フロント側）には、各カードの挿入、排出口８が設けられている。この挿入、排出口８から挿入されたカードは搬送路９によって搬送される。この搬送路９の端部（本体７の右側中間部、リア側）には新規発行用の無線カードＢが収納されている無線カードホッパ２０が設けられている。
【００１７】
また、上記挿入、排出口８と無線カードホッパ２０との間の搬送路９上には、左側から順に、無線カード印刷部（リライト印刷部）４２、無線カードリーダライタ（無線Ｒ／Ｗ部）４１が設けられている。
【００１８】
無線カードリーダライタ４１は、無線カードＢに対して、無線により情報の書込み、読取りを行うものである。
【００１９】
無線カード印刷部４２は、発行カードの券種・有効期限等を印刷（リライト）するものである。なお、リライト印刷とは、リライト用ロイコ層を持ったカードに対して、すでに印刷されているものを一端消去し、再印刷を可能とするものである。
【００２０】
また、無線カードホッパ２０の近傍には、無線カード用搬送路９の搬送ローラ等を回転駆動する無線カード用モータ（搬送用モータ）４３が設けられている。  
上記搬送路９上には、無線Ｒ／Ｗ時の位置出し処理のタイミングをとる、あるいはＪＡＭ券の位置検出を行うことができる搬送路センサ４４、…が設けられている。
【００２１】
上記搬送路９、無線カードホッパ２０、無線カードリーダライタ４１、無線カード印刷部４２、無線カード用モータ４３、搬送路センサ４４、…により、カード処理部６が構成されている。  
廃券スペース２１は、無線定期カードＢの新規発行時の無線処理を失敗した場合や、リサイクル回数が規程回数に達した無線定期カードＢを回収する回収箱となっている。  
なお、構成として廃券スペース２１を持たない場合には、挿入、排出口８より排出となる。
【００２２】
次に、上記のような構成において、この発明による定期券発行装置２の操作及び処理について、図３に示すフローチャートを参照しつつ説明する。
【００２３】
まず、この定期券発行装置２を係員が使用できるようにするために、ＩＤ認証を行う。これは、係員以外が定期券発行装置２を立ち上げ、不正に使用することを未然に防ぐためのセキュリティ対策である。ＩＤ認証の手順は次の通りである。この際、係員は、事前に発行された無線ＩＣカードであるＩＤカードＡを所有している。
【００２４】
まず、係員は図示しない電源スイッチにより定期券発行装置２の電源を立ち上げる（ＳＴ１）。これにより、定期券発行装置２の制御部３は、準備状態になった後に、表示部５により認証用のＩＤカードＡに対する上記カード処理部６の挿入、排出口８からの挿入を案内表示する（ＳＴ２）。この案内に応じて、係員は所持するＩＤカードＡをカード処理部６の挿入、排出口８から挿入する（ＳＴ３）。これにより、カード処理部６の無線Ｒ／Ｗ部４１によりＩＤカードＡへの電源供給を行うとともに、ＩＤカードＡのＣＰＵから送信されるＩＤカードＡを示すカード種別情報を受信し、制御部３に出力する（ＳＴ４）。
【００２５】
そして、制御部３は受信したカード種別情報によりＩＤカードＡを判断する（ＳＴ５）。このＩＤカードＡが判断された際、制御部３は、表示部５によりパスワードの入力画面を案内表示する（ＳＴ６）。この案内に応じて、係員は操作部４によりパスワードを入力する（ＳＴ７）。これにより、制御部３はそのパスワードをカード処理部６の無線Ｒ／Ｗ部４１によりＩＤカードＡのＣＰＵに無線送信する（ＳＴ８）。
【００２６】
そして、ＩＤカードＡのＣＰＵは受信したパスワードとメモリｍに予め記憶されているセキュリティ情報のパスワードとを照合し（ＳＴ９）、この一致するか否かの照合結果をカード処理部６の無線Ｒ／Ｗ部４１により制御部３に送信する（ＳＴ１０）。この際、制御部３は照合結果として一致を受け取った際に、本装置２が使用可能な係員であると判断することにより（ＳＴ１１）、本装置２が使用できる状態になり（ＳＴ１２）、照合結果として不一致を受け取った際に、本装置２が使用不可能な係員であると判断することにより（ＳＴ１３）、本装置２が使用できない状態となる（ＳＴ１４）。この係員の確認により、装置２が使用可能状態あるいは使用不能状態となる。
【００２７】
上記ステップ１１あるいは１３による判断が行われた後、ＩＤカードＡを挿入、排出口８から排出することにより、係員に返却される。
【００２８】
このセキュリティー対策により、不審者が本装置２の電源を入れた場合でも、装置自体は、準備状態にしかならず、本装置２が使用できる状態にはならない。そのため、不審者の不正使用を事前に防ぐことが可能となり、装置２の安全性が確保される。
【００２９】
また、ＩＤカードＡの認証に関しては、本装置２内での判断ではなく、本装置２とオンライン接続されているセンタサーバにより確認を取る方法をとるようにしても良い。この際、装置単体でのセキュリティー確保よりさらに高位のセキュリティーが確保されることになる。
【００３０】
次に、係員窓口に来たエンドユーザ（利用者）が使用している無線定期カードＢを持参し、それを元に内容を更新した無線定期カードＢを発行する場合を説明する。
【００３１】
まず、係員が操作部４により利用者が持参した無線定期カードＢを用いた発行処理を指示するとともに、エンドユーザから係員が受け取った無線定期カードＢを上記カード処理部６の挿入、排出口８に挿入する。これにより、エンドユーザが持っていた無線定期カードＢの定期券情報を無線Ｒ／Ｗ部４１により無線で読み取り、制御部３に出力する。この無線で読み取る定期券情報は、氏名情報、年齢情報、定期区間情報等、無線定期カードＢの発行に必要なデータである。
【００３２】
そして、制御部３は受信した定期券情報から有効期間等を更新した確認画面を表示部５により案内表示する。この案内に応じて、係員は変更が必要な情報に関して表示部５の画面により確認して操作部４により入力する。そして、購入料金の支払いの後、係員は表示部５の画面の発行ボタンを操作部４を用いて選択する。制御部３は発行する定期券情報をカード処理部６の無線カード印刷部４２により印刷消去及び印刷処理を行うことにより、新しい情報を印刷する。この印刷内容は、定期券有効期間である。
【００３３】
また、制御部３は発行する定期券情報を無線Ｒ／Ｗ部４１により無線定期カードＢのＣＰＵに無線送信する。
【００３４】
この印刷処理が終了すると、制御部３はカード処理部６の無線Ｒ／Ｗ部４１により、定期券として発行した無線定期カードＢに必要な情報が記録され、挿入、排出口８から発行される。
【００３５】
このように、エンドユーザが希望する定期券情報を本装置２ヘインプットし、変更が必要な情報に関しては、係員が本装置２に対して新たに情報入力をすることにより、情報入力を完了する。これにより、無線定期カードＢの発行に必要な情報の入力を完了することができる。
【００３６】
また別途情報を入力した場合を含めて、無線定期カードＢの発行操作前に、今発行しようとしている無線定期カードＢの発行内容をＰＣの画面に表示することにより、事前に無線定期カードＢの発行内容を確認することができる。無線カード印刷部４２の発行内容を事前にＰＣ画面で確認した後に、無線定期カードＢの発行内容が確認できるため、発行ミスを未然に防ぐことも可能である。
【００３７】
また、発行しようとしている無線定期カードＢの情報を画面から確認した後に、実際にＰＣの画面から発行ボタンを選択し、本装置の発行動作へ移る。ＰＣより発行コマンドを受けた発行装置部は、エンドユーザから受け取り本装置に挿入された無線定期カードＢに新しい定期券情報を無線で書き込み、印刷面は、リライト印刷により、新たに定期券情報（有効期限、有効区間等）をリライト印刷する。
【００３８】
これらの処理が完了した後、カード処理部６から無線定期カードＢが排出される。排出された無線定期カードＢは、本無線定期カードＢの購入客であるエンドユーザへ手渡される。これがエンドユーザから無線定期カードＢを受け取り、新しい無線定期カードＢを発行するまでの流れとなる。この中で、何らかの理由により、無線定期カードＢの交換が必要である場合は、エンドユーザが持ち込んだ無線定期カードＢの廃札処理を実施し、新しい無線定期カードＢをカード発行部６に具備されている無線定期カードＢの無線カードホッパ２０から繰り出し、新無線定期カードＢでの発行を行うこととする。従って無線定期カードＢの交換を含めて本装置で対応できることとなる。無線定期カードＢにまつわる処理全般を本装置で対応できることとなる。
【００３９】
上記したように、本装置は、無線定期カードＢ専用の発行機であり、無線定期カードＢの新規発行、エンドユーザが使用していた無線定期カードＢを使用した無線定期カードＢの継続再発行、その他無線定期カードＢにまつわる処理を行うことができる。
【００４０】
本装置は、無線定期カードＢ専用の発行機であり、無線定期カードＢの新規発行、及びエンドユーザが窓口に持ち込んだ無線定期カードＢの情報を読み取ることにより、継続した無線定期カードＢの発行作業量を軽減し、継続発行でき、またその他無線定期カードＢの再発行処理や、無線定期カードＢの継続発行時の無線定期カードＢのカード切り替えを行うことが可能である。また、単体でのセキュリティーを高めるために、装置立ち上げ時に無線ＩＣカードとしてのＩＤカードと手入力によるパスワードとのくみ合わせに操作、およびエンドユーザが使用している無線ＩＣカードの情報の読み取りを行うことにより、無線定期カードＢの発行、払い戻し、廃札処理等を行うものである。
【００４１】
本装置は、無線定期カードＢ専用の発行機であり、エンドユーザの無線定期カードＢの購入希望により無線定期カードＢの新規発行、及びエンドユーザが窓口に持ち込んだ無線定期カードＢの情報を読み取ることにより、継続した無線定期カードＢの発行作業量を軽減し、継続発行でき、またその他無線定期カードＢの再発行処理や、無線定期カードＢの継続発行時の無線定期カードＢのカード切り替えを行うことが可能である。また、単体でのセキリティーを高めるために、装置立ち上げ時に無線ＩＣカードとしてのＩＤカードと手入力によるパスワードとのくみ合わせにより、不審者の不正使用を未然に防ぐ策を取っている。
【００４２】
また、無線定期カードＢの継続発行をする際に、オンラインによるセンターサーバとの通信により、まさに処理をしょうとしている無線定期カードＢが使用不能対象の無線定期カードＢである場合、発行作業を中止し、不正使用・利用を未然に防ぐことが可能である。
【００４３】
したがって、無線定期カードＢの発行の専用機として、限られたスペースヘの設置を容易にし、今後の地方電鉄路線への設置等が見込まれることへの対応が可能である。
【００４４】
また、無線定期カードＢ発行の専用機として、汎用ＰＣを使用することにより、操作性を維持しつつ、保守業務にも広く対応できる装置構成とした。
【００４５】
さらに、無線定期カードＢの発行の専用機として、単体で業務できるが、セキュリティー確保のため、装置立ち上げ時には、無線ＩＣカードとしてのＩＤカード及びパスワードを使用することにより、不審者の使用を未然に防ぐようになっている。
【図面の簡単な説明】
【００４６】
【図１】この発明の実施形態を説明するためのカード処理装置としての定期券発行装置の概略構成を示す図。
【図２】カード処理部の内部の概略構成を示す断面図。
【図３】無線定期カードの発行処理を説明するためのフローチャート。
【符号の説明】
【００４７】
２…カード処理装置、Ａ…ＩＤカード（無線ＩＣカード）、Ｂ…無線定期カード（無線ＩＣカード）、６…カード処理部、８…挿入、排出口、ｍ…メモリ。
【図１】
2006155425.tif 000003
【図２】
2006155425.tif 000004
【図３】
2006155425.tif 000005